(57)【要約】【課題】閉極時に接点に並設させた半導体素子にノイズが侵入しないようにすること。【解決手段】第１の入力側端子と第１の負荷側端子との間に接続された第一の接点１１と、第２の入力側端子と第２の負荷側端子との間に接続された第二の接点２１と、を備え、第一の接点には、開極時に生じるアークを半導体素子に転流させることで消弧可能な無アーク回路３１を、併設させた遮断装置１であって、閉極時には第二の接点よりも先に第一の接点を閉じる構成とする。【選択図】図２
2019212581.tif 000002
【特許請求の範囲】
【請求項１】
第１の入力側端子と第１の負荷側端子との間に接続された第一の接点と、
第２の入力側端子と第２の負荷側端子との間に接続された第二の接点と、
を備え、
第一の接点には、開極時に生じるアークを半導体素子に転流させることで消弧可能な無アーク回路を、並設させた遮断装置であって、
閉極時には第二の接点よりも先に第一の接点を閉じる遮断装置。
【請求項２】
各接点に設けられた可動接触子を動作させる機構部を接点毎に独立して設け、
各々の機構部は独立して動作可能である請求項１に記載の遮断装置。
【請求項３】
制御部が各々の機構部の動作を個別に制御する請求項２に記載の遮断装置。
【発明の詳細な説明】
【技術分野】
【０００１】
本発明は、遮断装置に関するものである。
【背景技術】
【０００２】
特許文献１に記載されているように、接点に発生したアークを消弧するために半導体を用いることが知られている。このような消弧方法は二つの接点を備える回路においても使用されており、この場合、一方の接点に並設させるように半導体素子からなる無アーク回路を接続し、接点開放時に生じるアークを半導体素子に転入させる構造としている。
【先行技術文献】
【特許文献】
【０００３】
【特許文献１】特開平８−１０６８３９号公報
【０００４】
ところで、図９に示す開閉器のように、複数極の第一の接点１１１、第二の接点１２１を備えた遮断装置１００を用いる場合には、遮断装置１００の入力側端子１００ａには直流電源６が、出力側端子１００ｂには負荷７が接続される。
この遮断装置１００は、ハンドル２００を操作して接点１１１、１２１の開閉操作を行うことを可能とするため、各接点１１１、１２１が筐体に形成されるハンドル２００の操作に連動するように形成されている。この遮断装置１００が通電状態の際に、ハンドル２００を操作して接点１１１、１２１を開放するとアークが生じる。このアークを消弧するためには、無アーク回路１３１が接続される第１の接点１１１が先に開放し、次いで可動接触子１２１ａの動作により第２の接点１２１が開放するように動作させる必要がある。一方、遮断装置１００の接点の開極時に、ハンドル２００に連結されている第１の接点１１１を第二の接点１２１より先に開放する構造とする場合には、遮断装置１００の接点の閉極時には、第二の接点１２１が先に閉じた後に、次いで無アーク回路１３１を形成した第一の接点１１１が後に閉じる動作を行う形になる。この場合、図９（ａ）のように、先に第二の接点１２１が閉じられることにより、無アーク回路１３１を形成した第一の接点１１１の両端のａｂ間に電位差が生じた状態となる。この状態で図９（ｂ）のように、第一の接点１１１を開放状態から閉極する際に、接点の「バウンド」または「擦れ(すれ)」が発生すると、短い時間でON・OFFを繰り返すチャタリング等が発生する。チャタリングが発生すると、図１０に示すように、瞬間的に高い電圧にノイズが侵入し、無アーク回路１３１の半導体素子に定格電圧以上印加され、半導体素子が破壊される虞があった。
【発明の概要】
【発明が解決しようとする課題】
【０００５】
本件の発明者は、この点について鋭意検討することにより、解決を試みた。本発明の課題は、閉極時に接点に並設させた半導体素子にノイズが侵入しないようにすることである。
【課題を解決するための手段】
【０００６】
上記課題を解決するため、第１の入力側端子と第１の負荷側端子との間に接続された第一の接点と、第２の入力側端子と第２の負荷側端子との間に接続された第二の接点と、を備え、第一の接点には、開極時に生じるアークを半導体素子に転流させることで消弧可能な無アーク回路を、並設させた遮断装置であって、閉極時には第二の接点よりも先に第一の接点を閉じる遮断装置とする。
【０００７】
また、各接点に設けられた可動接触子を動作させる機構部を接点毎に独立して設け、各々の機構部は独立して動作可能である構成とすることが好ましい。
【０００８】
また、制御部が各々の機構部の動作を個別に制御する構成とすることが好ましい。
【発明の効果】
【０００９】
本発明では、閉極時に接点に並設させた半導体素子にノイズが侵入しないようにすることが可能となる。
【図面の簡単な説明】
【００１０】
【図１】直流電源と負荷の間に設けられた開閉器において、第一の接点と第二の接点が開いた状態を示した図である。
【図２】直流電源と負荷の間に設けられた開閉器において、第一の接点が閉じ、第二の接点が開いた状態を示した図である。
【図３】直流電源と負荷の間に設けられた開閉器において、第一の接点と第二の接点が閉じた状態を示した図である。
【図４】第一の接点と第二の接点を閉じるタイミングとab間の電圧との関係を示した図である。
【図５】閉極時における第一の可動接触子と第二の可動接触子の動かし方を表す図である。ただし、(a)では第一の可動接触子と第二の可動接触子が開いた状態を示し、(b)では第一の可動接触子が閉じ、第二の可動接触子が開いた状態を示し、(c)では第一の可動接触子と第二の可動接触子が閉じた状態を示している。
【図６】開極時における第一の可動接触子と第二の可動接触子の動かし方を表す図である。ただし、(d)では第一の可動接触子と第二の可動接触子が閉じた状態を示し、(e)では第一の可動接触子が開き、第二の可動接触子が閉じた状態を示し、(f)では第一の可動接触子と第二の可動接触子が開いた状態を示している。
【図７】操作部が接続された開閉器の斜視図である。
【図８】機構部操作片を備えた開閉器の斜視図である。
【図９】直流電源と負荷の間に設けられた開閉器において、第一の接点が開き、第二の接点が閉じた状態から第一の接点を閉じる動かし方を示した図である。
【図１０】図９に示す第一の接点と第二の接点を閉じるタイミングとab間の電圧との関係を示した図である。
【発明を実施するための形態】
【００１１】
以下に発明を実施するための形態を示す。本実施形態の遮断装置１は、第１の入力側端子１ａ（１ａ−１）と第１の負荷側端子１ｂ（１ｂ−１）との間に接続された第一の接点１１と、第２の入力側端子１ａ（１ａ−２）と第２の負荷側端子１ｂ（１ｂ−２）との間に接続された第二の接点２１とを備えている。また、この遮断装置１の第一の接点１１に、開極時に生じるアークを半導体素子に転流させることで消弧可能な無アーク回路３１を並設させている。また、この遮断装置１は閉極時には第二の接点２１よりも先に第一の接点１１を閉じる。このため、閉極時に第一の接点１１に並設させた半導体素子にノイズが侵入しないようにすることが可能となる。
【００１２】
実施形態では遮断装置１を開閉器として説明する。本実施形態では、開閉器は直流電源６と負荷７との間に配置されている。詳しくは、遮断装置１の入力側端子１ａ−１、１ａ−２間には直流電源６が、出力側端子１ｂ−１、１ｂ−２間には負荷７が接続される。この開閉器は内部に複数極となる二つの接点を備えており、第一の接点１１に並列するように無アーク回路３１が設けられている。この無アーク回路３１は半導体素子が備えられており、半導体素子の制御によって転流させたアークを消弧することができる。なお、半導体素子には金属酸化物半導体電界効果トランジスタなどを用いれば良い。
【００１３】
本実施形態では、負荷７に電流が流れない状態から、負荷７に電流が流れる状態にする場合、開閉器の表面に形成したハンドル２００を操作して、各接点は図１に示す状態から図２に示す状態を経て図３に示す状態となる。つまり、第一の接点１１と第二の接点２１が開かれた状態から、閉極する場合、先ず可動接触子１１ａの動作で第一の接点１１を閉じ、その後に可動接触子２１ａの動作で第二の接点２１を閉じる。このようにすることにより、第一の接点１１両端のａｂ間に電位差が生じないようにできるため、閉極時にチャタリングによるノイズが無アーク回路３１側に侵入する虞がない（図４参照）。そして、負荷７に電流が流れる状態から開極する場合には、可動接触子１１ａの動作で第一の接点１１を先に開放させて、接点開放時に生じるアークを無アーク回路３１に転流させて消弧させた上で、可動接触子２１ａの動作で第二の接点２２を開放させる。これによって、各接点がアークによって劣化することを防止できるものである。なお、図１から図３に示す例では、ハンドル２００の操作に連動して各接点に設けられた可動接触子を動作させる機構部を接点毎に独立して設け、各々の機構部は独立して動作可能である。より具体的には、第一の機構部１４により第一の接点１１の第一の可動接触子１２を動作させることが可能であるとともに、第一の機構部１４とは独立して設けた第二の機構部２４により第二の接点２１の第二の可動接触子２２を動作させることが可能である。このように、第一の機構部１４、第二の機構部２４を独立して形成するため、第一の接点１１を閉極時に先に閉極することができ、開極時にも先に開極することが可能である。
【００１４】
第一の接点１１と第二の接点２１をこのように動かすには、様々な手段が考えられるが、その一例を次に説明する。図５に示す例では、各接点の開放を機械的な動作で制御する方法であって、第一の接点１１に設けられた第一の可動接触子１２と、第二の接点２１に設けられた第二の可動接触子２２が、異なるタイミングで閉じることができるようにしている。本実施形態では第一の被操作片１６を動かすことで第一の可動接触子１２を第一の固定接触子１３と接続させることができ、第二の被操作片２６を動かすことで第二の可動接触子２２を第二の固定接触子（図示せず）と接続させることができる。
【００１５】
第一の被操作片１６と第二の被操作片２６は各々独立して設けられ、独立して動作可能なものであるが、これらは図示しないハンドルの動作に連動する回動機構部３２によって操作される。本実施形態では、回動可能な回動機構部３２の回動軸から突出するように第一の操作片１５と第二の操作片２５が設けられている。第一の操作片１５と第二の操作片２５は、その突出方向がずれるように設けられており、一つの回動機構部３２を回動させることにより、第一の被操作片１６と第二の被操作片２６の双方を順に移動させることができる。
【００１６】
この際、第一の被操作片１６を動かすことで押し上げられた第一の摺動機構部１７により、第一の可動接触子１２を回動させている。また、第二の被操作片２６を動かすことで押し上げられた第二の摺動機構部２７により、第二の可動接触子２２を回動させている。なお、実施形態では、第一の固定接触子１３に接圧が掛かり過ぎないようにするため、接圧用ばね３３を設置し、回動機構部３２から受ける力を吸収できるようにしている。
【００１７】
本実施形態では、図示しないハンドルで開極操作した時には第二の接点２１よりも先に第一の接点１１を開くように構成している。図５に示された回動機構部３２を閉極時と逆方向に回動させると、第一の接点１１が第二の接点２１よりも後に開かれてしまう。そこで、図６に示す例では、ハンドルでの開極操作した時に、回動機構部３２を直進移動できるように構成した。回動機構部３２を直進移動させることで、第一の被操作片１６を支える状態を解除した後に第二の被操作片２６を支える状態を解除できるようにしている。本実施形態では、第一の被操作片１６の突出長さが第二の被操作片２６の突出長さよりも短くなるように設けており、第一の接点１１が第二の接点２１よりも先に開きやすいようにしている。
【００１８】
ところで、各接点に設けられた可動接触子を動作させる機構部を接点毎に独立して設ける場合において、各々の機構部が独立して動作可能とするのは、様々な手法で行うことが可能である。図７及び図８に示す例では、各接点の開放を通信による制御により行う方法であって、機構部を操作する機構部操作片３４を設けている。また、開閉器には制御部３５が連結されている。この制御部３５は各々の機構部の動作を個別に制御することができる。より具体的には、この制御部３５は各々の機構部の動作を個別に制御するように機構部操作片３４を操作できるようにしている。なお、図７及び図８に示す例では、制御部３５が複数設けられており、この制御部３５同士が通信し、閉極時には第二の接点２１よりも先に第一の接点１１を閉じ、開極時には第二の接点２１よりも先に第一の接点１１を開くように制御している。なお、図７及び図８に示す例では第一の接点１１、第二の接点２１を別々の開閉器に形成し、それぞれの開閉器に制御部３５が連結されているものである。複数の接点は開閉器内に設けてあっても良いし、別々の開閉器に形成するものであっても良いものである。
【００１９】
以上、実施形態を例に挙げて本発明について説明してきたが、本発明は上記実施形態に限定されることはなく、各種の態様とすることが可能である。例えば、遮断装置は開閉器ではなくブレーカとすることも可能である。
【００２０】
また、接点は二つではなく三つ以上とすることも可能である。この場合、閉極時には第一の接点が一番最初に閉じられるようにすればよい。また、開極時には第一の接点が一番最後に開かれるようにすることが好ましい。
【符号の説明】
【００２１】
１  遮断装置
１１  第一の接点
１２  第一の可動接触子
１４  第一の機構部
２１  第二の接点
２２  第二の可動接触子
２４  第二の機構部
３１  無アーク回路
３５  制御部
【図１】
2019212581.tif 000003
【図２】
2019212581.tif 000004
【図３】
2019212581.tif 000005
【図４】
2019212581.tif 000006
【図５】
2019212581.tif 000007
【図６】
2019212581.tif 000008
【図７】
2019212581.tif 000009
【図８】
2019212581.tif 000010
【図９】
2019212581.tif 000011
【図１０】
2019212581.tif 000012